(57)【要約】【課題】  架構構造の特徴を生かし、より設計自由度の高い構造体の免震・制振機構を提供しようとする。【解決手段】  従来の構造体の免震・制振機構にかわって、所定の回転慣性質量をもち揺動できる様に支持され揺動する際に所定の方向に変位する一対の変位箇所をもつ変位機構が構造体に固定され、前記左右一対の長尺部材が、複数の前記シーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を前記変位機構の一対の前記変位箇所の一方及び他方に連結され、構造体が変形すると、張力が前記右側長尺部材と前記左側長尺部材とに発生し、前記変位機構の一対の変位箇所が往復変位するものとした。【選択図】    図１
2019157477.tif 000002
【特許請求の範囲】
【請求項１】
基礎と複数の梁と複数の柱とでできた多層のラーメン構造でできた構面に設置される構造体の制振機構であって、
所定の回転慣性質量または慣性質量をもち揺動または移動できる様に支持または案内され揺動または移動する際に所定の方向に変位する一対の変位箇所をもつ変位機構と、
多層のラーメン構造に各々に固定される複数のシーブと、
屈曲可能な素材ででき、一方の端部と他方の端部とを構造体の鉛直方向、左右方向または水平方向の何方かの特定方向に沿って離間させる、一対の長尺部材である右側長尺部材と左側長尺部材と、
を備え、
前記変位機構が構造体に固定され、
前記右側長尺部材が、複数の前記シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を前記変位機構の一対の前記変位箇所の一方に連結され、
前記左側長尺部材が、複数の前記シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を前記変位機構の一対の前記変位箇所の他方に連結され、
構造体が交番荷重を受けて変形すると、張力が前記右側長尺部材と前記左側長尺部材とに発生し、前記変位機構の一対の前記変位箇所が往復変位する、
ことを特徴とする構造体の制振機構。
【請求項２】
前記変位機構が一点を中心に揺動運動をするシーソー部材と前記シーソー部材を揺動自在に固定する固定部材とを有し、
一対の前記変位箇所が前記シーソー部材の揺動中心を境にして点対称の位置にある一対の箇所であり、
前記右側長尺部材の他方の端部が一方の前記変位箇所に連結され、
前記左側長尺部材の他方の端部が他方の前記変位箇所に連結される、
ことを特徴とする請求項１に記載の構造体の制振機構。
【請求項３】
前記変位機構が前記シーソー部材と前記固定部材と慣性質量要素とを有し、
前記慣性質量要素が回転体と前記シーソー部材の前記変位箇所の往復変位を該回転体の正逆回転に変換する変換機構とを持つ、
ことを特徴とする請求項２に記載の構造体の制振機構。
【請求項４】
前記変位機構が前記シーソー部材と前記固定部材と一対の慣性質量要素である右側慣性質量要素と左側慣性質量要素とを有し、
前記右側慣性質量要素が右側回転体と一対の前記変位箇所のうちの一方の変位箇所の往復変位を該右側回転体の正逆回転に変換する右側変換機構とをもち、
前記左側慣性質量要素が左側回転体と一対の前記変位箇所のうちの他方の変位箇所の往復変位を該左側回転体の回転に変換する左側変換機構とをもつ、
ことを特徴とする請求項３に記載の構造体の制振機構。
【請求項５】
構造体が一つのラーメン構造である特定ラーメン構造を形成する梁と柱とに囲われる開口部を有し、
一対の前記長尺部材が、複数の前記シーブに掛け渡され、一方の端部と他方の端部の間の少なくとも一部が前記特定ラーメン構造の周囲に前記開口部を避けて特定方向に沿って張られる、
ことを特徴とする請求項４に記載の構造体の制振機構。
【請求項６】
前記変位機構が構造体の基礎に固定される、
ことを特徴とする請求項５に記載の構造体の制振機構。
【請求項７】
前記変位機構が往復運動をする往復部材と前記往復部材を往復自在に案内する案内部材とを有し、
一対の前記変位箇所が前記往復部材にある一対の箇所であり、
前記右側長尺部材の他方の端部が一方の前記変位箇所に連結され、
前記左側長尺部材の他方の端部が他方の前記変位箇所に連結される、
ことを特徴とする請求項１に記載の構造体の制振機構。
【請求項８】
前記変位機構が前記往復部材と前記固定部材と慣性質量要素とを有し、
慣性質量要素が回転体と前記変位箇所の往復変位を該回転体の正逆回転に変換する変換機構とを持つ、
ことを特徴とする請求項７に記載の構造体の制振機構。
【請求項９】
構造体が一つのラーメン構造である特定ラーメン構造を形成する梁と柱とに囲われる開口部を有し、
一対の前記長尺部材が、複数の前記シーブに掛け渡され、一方の端部と他方の端部の間の少なくとも一部が前記特定ラーメン構造を形成する梁または柱に沿って張られる、
ことを特徴とする請求項８に記載の制振機構。
【請求項１０】
前記変位機構が構造体の基礎に固定される、
ことを特徴とする請求項９に記載の構造体の制振機構。
【請求項１１】
構造体が一つのラーメン構造である特定ラーメン構造を形成する梁と柱とに囲われる開口部を有し、
一対の前記長尺部材が、複数の前記シーブに掛け渡され、一方の端部と他方の端部の間の少なくとも一部が前記特定ラーメン構造の周囲に前記開口部を避けて特定方向に沿って張られる、
ことを特徴とする請求項１に記載の構造体の制振機構。
【請求項１２】
前記変位機構が構造体の基礎に固定される、
ことを特徴とする請求項１に記載の構造体の制振機構。
【請求項１３】
構造体の基礎と複数の梁と複数の柱とでできた多層のラーメン構造でできた構面に設置される構造体の制振機構であって、
所定の回転慣性質量または慣性質量をもち揺動または移動できる様に支持または案内され揺動または移動する際に所定の方向に変位する一対の変位箇所をもつ複数段の変位機構である第一段変位機構と第二段変位機構と、
多層のラーメン構造に各々に固定される複数段のシーブである複数の第一段シーブと複数の第二段シーブと、
屈曲可能な素材ででき、一方の端部と他方の端部とを構造体の鉛直方向、左右方向または水平方向の何方かの特定方向に沿って離間させる複数段の一対の長尺部材である第一段右側長尺部材と第一段左側長尺部材と第二段右側長尺部材と第二段左側長尺部材と、
を備え、
前記第一段変位機構と前記第二段変位機構とが前記特定方向に沿って重なって構造体に固定され、
前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され、他方の端部を前記第一段変位機構の一対の前記変位箇所の一方に連結され、
前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を前記第一段変位機構の一対の前記変位箇所の他方に連結され、
前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構の一対の前記変位箇所の他方に連結され、他方の端部を構造体に連結され、
前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構の一対の前記変位箇所の一方に連結され、他方の端部を構造体に連結され、
構造体が交番荷重を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の変位箇所が変位し、前記第二段変位機構の一対の前記変位箇所が変位する、
ことを特徴とする構造体の制振機構。
【請求項１４】
構造体の基礎と複数の梁と複数の柱とでできた多層のラーメン構造でできた構面に設置される構造体の制振機構であって、
所定の回転慣性質量または慣性質量をもち揺動または移動できる様に支持または案内され揺動または移動する際に所定の方向に変位する一対の変位箇所をもつ複数段の変位機構である第一段変位機構と第三段変位機構と、
多層のラーメン構造に各々に固定される複数段のシーブである複数の第一段シーブと複数の第二段シーブと、
屈曲可能な素材ででき、一方の端部と他方の端部とを構造体の鉛直方向、左右方向または水平方向の何方かの特定方向に沿って離間させる複数段の一対の長尺部材である第一段右側長尺部材と第一段左側長尺部材と第二段右側長尺部材と第二段左側長尺部材と、
を備え、
前記第一段変位機構と前記第三段変位機構とが前記特定方向に沿って離れて構造体に固定され、、
前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され。他方の端部を前記第一段変位機構の一対の前記変位箇所の一方に連結され、
前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を前記第一段変位機構の一対の前記変位箇所の他方に連結され、
前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され、他方の端部を前記第三段変位機構の一対の前記変位箇所の他方に連結され連結され、
前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を第三段変位機構の一対の前記変位箇所の一方に連結され、
構造体が交番荷重を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の変位箇所が変位し、前記第三段変位機構の一対の変位箇所が変位する、
ことを特徴とする構造体の制振機構。
【請求項１５】
構造体の基礎と複数の梁と複数の柱とでできた多層のラーメン構造でできた構面に設置される構造体の制振機構であって、
所定の回転慣性質量または慣性質量をもち揺動または移動できる様に支持または案内され揺動または移動する際に所定の方向に変位する一対の変位箇所をもつ複数段の変位機構である第一段変位機構と第二段変位機構と第三段変位機構と、
多層のラーメン構造に各々に固定される複数段のシーブである複数の第一段シーブと複数の第二段シーブと、
屈曲可能な素材ででき、一方の端部と他方の端部とを構造体の鉛直方向、左右方向または水平方向の何方かの特定方向に沿って離間させる、複数段の一対の長尺部材である第一段右側長尺部材と第一段左側長尺部材と第二段右側長尺部材と第二段左側長尺部材と、
を備え、
前記第一段変位機構と前記第二段変位機構とが前記特定方向に沿って重なって構造体に固定され、
前記第三段変位機構が重なった第一段変位機構と第二段変位機構とから前記特定方向に沿って離れて構造体に固定され、
前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され、他方の端部を前記第一段変位機構の一対の前記変位箇所の一方に連結され、
前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を前記第一段変位機構の一対の前記変位箇所の他方に連結され、
前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構の一対の前記変位箇所の他方に連結され、他方の端部を前記第三段変位機構の一対の前記変位箇所の一方に連結され、
前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構の一対の前記変位箇所の一方に連結され、他方の端部を前記第三段変位機構の一対の前記変位箇所の他方に連結され、
構造体が交番荷重を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の前記変位箇所が変位し、前記第二段変位機構の一対の前記変位箇所が変位し、前記第三段変位機構の一対の前記変位箇所が変位する、
ことを特徴とする構造体の制振機構。
【発明の詳細な説明】
【技術分野】
【０００１】
本発明は、構造体の基礎と複数の梁と複数の柱とでできた多層のラーメン構造でできた構面に設置される構造体の制振機構に関する。
【背景技術】
【０００２】
構造体に各種の制振機構が採用される。
例えば、構造体は、多層のラーメン構造でできた構面を持つ。
構造体の制振機構が構造体の構面に設置されることがある。
例えば、制振機構は、ワイヤー構造システム、制振システム、ワイヤー制振システム、その他である。
ワイヤー構造システムは、ラーメン構造の耐震要素であるブレースや間材の替わりにワイヤーやケーブルを用いて建物の剛性や耐力を確保する架構構造である。
制振システムは、ラーメン構造の耐震要素であるブレースや間柱に制振ダンパーを組み込み、剛性、耐力に加えて減衰性能を付加する架構構造である。
ワイヤー制振システムは、ワイヤー構造の中に制振ダンパーを組み込み、剛性、耐力に加えて減衰性能を付加する架構構造である。
図１３は、従来の構造体の制振機構の概念図を示す。
図１３（Ａ）は、ワイヤー構造システムを設置された構造体である。
図１３（Ｂ）は、制振システムを設置された構造体である。
図１３（Ｃ）は、ワイヤー制振システムを設置された構造体である。
【０００３】
上記の構造体では、ラーメン構造でできた構面にワイヤーを通すための空間を確保する必要があるが、ワイヤーを通した空間には、開口部や執務室空間の確保がしにくいといった不具合があった。
また、上記の架構構造では、制振機構の全体質量が、構造体の固有振動数に影響を与えるため、設定自由度が限定されるという不具合があった。
したがって、上記のシステムの特徴を生かし、より設計自由度の高い構造体の制振機構が望まれていた。
【先行技術文献】
【特許文献】
【０００４】
【特許文献１】ＷＯ２０１０／１１６７７９号
【特許文献２】特開２０１５−２０９６６７号
【特許文献３】特開２０１４−１２２５１４号
【特許文献４】特開２００９−２３６２４９号
【発明の開示】
【発明が解決しようとする課題】
【０００５】
本発明は以上に述べた要請に鑑み案出されたもので、架構構造の特徴を生かし、より設計自由度の高い構造体の制振機構を提供しようとする。
【課題を解決するための手段】
【０００６】
上記目的を達成するため、本発明に係る構造体の基礎と複数の梁と複数の柱とでできた多層のラーメン構造でできた構面に設置される構造体の制振機構を、所定の回転慣性質量または慣性質量をもち揺動または移動できる様に支持または案内され揺動または移動する際に所定の方向に変位する一対の変位箇所をもつ変位機構と、多層のラーメン構造に各々に固定される複数のシーブと、屈曲可能な素材ででき、一方の端部と他方の端部とを構造体の鉛直方向、左右方向または水平方向の何方かの特定方向に沿って離間させる、一対の長尺部材である右側長尺部材と左側長尺部材と、を備え、前記変位機構が構造体に固定され、前記右側長尺部材が、複数の前記シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を前記変位機構の一対の前記変位箇所の一方に連結され、前記左側長尺部材が、複数の前記シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を前記変位機構の一対の前記変位箇所の他方に連結され、構造体が交番荷重を受けて変形すると、張力が前記右側長尺部材と前記左側長尺部材とに発生し、前記変位機構の一対の前記変位箇所が往復変位する、ものとした。
【０００７】
上記本発明の構成において、変位機構が、所定の回転慣性質量または慣性質量をもち揺動または移動できる様に支持または案内され揺動または移動する際に所定の方向に変位する一対の変位箇所をもつ。複数のシーブが、多層のラーメン構造に各々に固定される。一対の長尺部材である右側長尺部材と左側長尺部材が、屈曲可能な素材ででき、一方の端部と他方の端部とを構造体の鉛直方向、左右方向または水平方向の何方かの特定方向に沿って離間させる。前記変位機構が構造体に固定される。前記右側長尺部材が、複数の前記シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を前記変位機構の一対の前記変位箇所の一方に連結される。前記左側長尺部材が、複数の前記シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を前記変位機構の一対の前記変位箇所の他方に連結される。構造体が交番荷重を受けて変形すると、張力が前記右側長尺部材と前記左側長尺部材とに発生し、前記変位機構の一対の前記変位箇所が往復変位する。
その結果、右側長尺部材と左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
【０００８】
上記目的を達成するため、本発明に係る構造体の基礎と複数の梁と複数の柱とでできた多層のラーメン構造でできた構面に設置される構造体の制振機構を、所定の回転慣性質量または慣性質量をもち揺動または移動できる様に支持または案内され揺動または移動する際に所定の方向に変位する一対の変位箇所をもつ複数段の変位機構である第一段変位機構と第二段変位機構と、多層のラーメン構造に各々に固定される複数段のシーブである複数の第一段シーブと複数の第二段シーブと、屈曲可能な素材ででき、一方の端部と他方の端部とを構造体の鉛直方向、左右方向または水平方向の何方かの特定方向に沿って離間させる複数段の一対の長尺部材である第一段右側長尺部材と第一段左側長尺部材と第二段右側長尺部材と第二段左側長尺部材と、を備え、前記第一段変位機構と前記第二段変位機構とが前記特定方向に沿って重なって構造体に固定され、前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を前記第一段変位機構の一対の前記変位箇所の一方に連結され、前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を前記第一段変位機構の一対の前記変位箇所の他方に連結され、前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構の一対の前記変位箇所の他方に連結され他方の端部を構造体に連結され、前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構の一対の前記変位箇所の一方に連結され他方の端部を構造体に連結され、構造体が交番変位を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の変位箇所が変位し、前記第二段変位機構の一対の変位箇所が変位する、ものとした。
【０００９】
上記本発明の構成において構造体の制振機構が、複数段の変位機構である第一段変位機構と第二段変位機構が、所定の回転慣性質量または慣性質量をもち揺動または移動できる様に支持または案内され揺動または移動する際に所定の方向に変位する一対の変位箇所をもつ。複数段のシーブである複数の第一段シーブと複数の第二段シーブが、多層のラーメン構造に各々に固定される。複数段の一対の長尺部材である第一段右側長尺部材と第一段左側長尺部材と第二段右側長尺部材と第二段左側長尺部材が、屈曲可能な素材ででき、一方の端部と他方の端部とを構造体の鉛直方向、左右方向または水平方向の何方かの特定方向に沿って離間させる。前記第一段変位機構と前記第二段変位機構とが前記特定方向に沿って重なって構造体に固定される。前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を前記第一段変位機構の一対の前記変位箇所の一方に連結される。前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を前記第一段変位機構の一対の前記変位箇所の他方に連結される。前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構の一対の前記変位箇所の他方に連結され他方の端部を構造体に連結される。前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構の一対の前記変位箇所の一方に連結され他方の端部を構造体に連結される。構造体が交番変位を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の変位箇所が変位し、前記第二段変位機構の一対の変位箇所が変位する。
その結果、右側長尺部材と左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
【００１０】
上記目的を達成するため、構造体の基礎と複数の梁と複数の柱とでできた多層のラーメン構造でできた構面に設置される構造体の制振機構を、所定の回転慣性質量または慣性質量をもち揺動または移動できる様に支持または案内され揺動または移動する際に所定の方向に変位する一対の変位箇所をもつ複数段の変位機構である第一段変位機構と第三段変位機構と、多層のラーメン構造に各々に固定される複数段のシーブである複数の第一段シーブと複数の第三段シーブと、屈曲可能な素材ででき、一方の端部と他方の端部とを構造体の鉛直方向、左右方向または水平方向の何方かの特定方向に沿って離間させる複数段の一対の長尺部材である第一段右側長尺部材と第一段左側長尺部材と第二段右側長尺部材と第二段左側長尺部材と、を備え、前記第一段変位機構と前記第三段変位機構とが前記特定方向に沿って離れて構造体に固定され、前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され。他方の端部を前記第一段変位機構の一対の前記変位箇所の一方に連結され、前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を前記第一段変位機構の一対の前記変位箇所の他方に連結され、前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され、他方の端部を前記第三段変位機構の一対の前記変位箇所の他方に連結され連結され、前記第二左側長尺部材が、複数の第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を第三段変位機構の一対の前記変位箇所の一方に連結され、構造体が交番荷重を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の変位箇所が変位し、前記第三段変位機構の一対の変位箇所が変位する、ものとした。
【００１１】
上記本発明の構成において構造体の制振機構が、複数段の変位機構である第一段変位機構と第三段変位機構が、所定の回転慣性質量または慣性質量をもち揺動または移動できる様に支持または案内され揺動または移動する際に所定の方向に変位する一対の変位箇所をもつ。複数段のシーブである複数の第一段シーブと複数の第二段シーブとが、多層のラーメン構造に各々に固定される。複数段の一対の長尺部材である第一段右側長尺部材と第一段左側長尺部材と第二段右側長尺部材と第二段左側長尺部材が、屈曲可能な素材ででき、一方の端部と他方の端部とを構造体の鉛直方向、左右方向または水平方向の何方かの特定方向に沿って離間させる。第一段変位機構と第三段変位機構とが前記特定方向に沿って離れて構造体に固定される。前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され。他方の端部を前記第一段変位機構の一対の前記変位箇所の一方に連結される。前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を前記第一段変位機構の一対の前記変位箇所の他方に連結される。前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され、他方の端部を第三段変位機構の一対の前記変位箇所の他方に連結され連結される。前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を前記第三段変位機構の一対の前記変位箇所の一方に連結される。構造体が交番荷重を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の変位箇所が変位し、前記第三段変位機構の一対の変位箇所が変位する、ものとした。
その結果、第一段右側長尺部材と第一段左側長尺部材と第二段右側長尺部材と第二段左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
【００１２】
上記目的を達成するため、本発明に係る構造体の基礎と複数の梁と複数の柱とでできた多層のラーメン構造でできた構面に設置される構造体の制振機構を、所定の回転慣性質量または慣性質量をもち揺動または移動できる様に支持または案内され揺動または移動する際に所定の方向に変位する一対の変位箇所をもつ複数段の変位機構である第一段変位機構と第二段変位機構と第三段変位機構と、多層のラーメン構造に各々に固定される複数段のシーブである複数の第一段シーブと複数の第二段シーブと、屈曲可能な素材ででき、一方の端部と他方の端部とを構造体の鉛直方向、左右方向または水平方向の何方かの特定方向に沿って離間させる複数段の一対の長尺部材である第一段右側長尺部材と第一段左側長尺部材と第二段右側長尺部材と第二段左側長尺部材と、を備え、前記第一段変位機構と前記第二段変位機構とが前記特定方向に沿って重なって構造体に固定され、前記第三段変位機構が重なった第一段変位機構と第二段変位機構とから前記特定方向に沿って離れて構造体に固定され、前記第一段右側長尺部材が、複数の第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を前記第一段変位機構の一対の前記変位箇所の一方に連結され、前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を前記第一段変位機構の一対の前記変位箇所の他方に連結され、前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構の一対の前記変位箇所の他方に連結され他方の端部を前記第三段変位機構の一対の前記変位箇所の一方に連結され、前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構の一対の前記変位箇所の一方に連結され他方の端部を前記第三段変位機構の一対の前記変位箇所の他方に連結され、構造体が交番変位を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の前記変位箇所が変位し、前記第二段変位機構の一対の変位箇所が変位し、前記第三段変位機構の一対の前記変位箇所が変位する、ものとした。
【００１３】
上記本発明の構成において構造体の制振機構が、複数段の変位機構である第一段変位機構と第二段変位機構と第三段変位機構が、所定の回転慣性質量または慣性質量をもち揺動または移動できる様に支持または案内され揺動または移動する際に所定の方向に変位する一対の変位箇所をもつ。複数段のシーブである複数の第一段シーブと複数の第二段シーブが、多層のラーメン構造に各々に固定される。複数段の一対の長尺部材である第一段右側長尺部材と第一段左側長尺部材と第二段右側長尺部材と第二段左側長尺部材が、屈曲可能な素材ででき、一方の端部と他方の端部とを構造体の鉛直方向、左右方向または水平方向の何方かの特定方向に沿って離間させる。前記第一段変位機構と前記第二段変位機構とが前記特定方向に沿って重なって構造体に固定される。前記第三段変位機構が重なった第一段変位機構と第二段変位機構とから前記特定方向に沿って離れて構造体に固定される。前記第一段右側長尺部材が、複数の前記第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を前記第一段変位機構の一対の前記変位箇所の一方に連結される。前記第一段左側長尺部材が、複数の前記第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を前記第一段変位機構の一対の前記変位箇所の他方に連結される。前記第二段右側長尺部材が、複数の前記第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構の一対の前記変位箇所の他方に連結され他方の端部を前記第三段変位機構の一対の前記変位箇所の一方に連結される。前記第二左側長尺部材が、複数の前記第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構の一対の前記変位箇所の一方に連結され他方の端部を前記第三段変位機構の一対の前記変位箇所の他方に連結される。構造体が交番変位を受けて変形すると、張力が前記第一段右側長尺部材と前記第一段左側長尺部材とに発生し、張力が前記第二段右側長尺部材と前記第二段左側長尺部材とに発生し、前記第一段変位機構の一対の前記変位箇所が変位し、前記第二段変位機構の一対の変位箇所が変位し、前記第三段変位機構の一対の前記変位箇所が変位する。
その結果、第一段右側長尺部材と第一段左側長尺部材と第二段右側長尺部材と第二段左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
【００１４】
以下に、本発明の実施形態に係る構造体の制振機構を説明する。本発明は、以下に記載した実施形態のいずれか、またはそれらの中の二つ以上が組み合わされた態様を含む。
【００１５】
また、本発明の実施形態に係る構造体の制振機構は、前記変位機構が一点を中心に揺動運動をするシーソー部材と前記シーソー部材を揺動自在に固定する固定部材とを有し、一対の前記変位箇所が前記シーソー部材の揺動中心を境にして点対称の位置にある一対の箇所であり、前記右側長尺部材の他方の端部が一方の前記変位箇所に連結され、前記左側長尺部材の他方の端部が他方の前記変位箇所に連結される。
上記本発明に係る実施形態の構成により、前記変位機構が一点を中心に揺動運動をするシーソー部材と前記シーソー部材を揺動自在に固定する固定部材とを有する。一対の前記変位箇所が前記シーソー部材の揺動中心を境にして点対称の位置にある一対の箇所である。前記右側長尺部材の他方の端部が一方の前記変位箇所に連結される。前記左側長尺部材の他方の端部が他方の前記変位箇所に連結される。
その結果、ラーメン構造が剪断変形したとき右側長尺部材及び左側長尺部材のどちらかの一方の前記長尺部材が前記変位箇所を引っ張る。
【００１６】
また、本発明の実施形態に係る構造体の制振機構は、前記変位機構が前記シーソー部材と前記固定部材と慣性質量要素とを有し、前記慣性質量要素が回転体と前記シーソー部材の前記変位箇所の往復変位を該回転体の正逆回転に変換する変換機構とを持つ。
上記本発明に係る実施形態の構成により、前記変位機構が前記シーソー部材と前記固定部材と慣性質量要素とを有する。前記慣性質量要素が回転体と前記シーソー部材の前記変位箇所の往復変位を該回転体の正逆回転に変換する変換機構とを持つ。
その結果、慣性質量要素の回転体と変換機構の諸元を希望の諸元にすることで、長尺部材の端部に付加する慣性質量を希望の値にすることができる。
【００１７】
また、本発明の実施形態に係る構造体の制振機構は、前記変位機構が前記シーソー部材と前記固定部材と一対の慣性質量要素である右側慣性質量要素と左側慣性質量要素とを有し、前記右側慣性質量要素が右側回転体と一対の前記変位箇所のうちの一方の変位箇所の往復変位を該右側回転体の正逆回転に変換する右側変換機構とをもち、前記左側慣性質量要素が左側回転体と一対の前記変位箇所のうちの他方の変位箇所の往復変位を該左側回転体の回転に変換する左側変換機構とをもつ。
上記本発明に係る実施形態の構成により、前記変位機構が前記シーソー部材と前記固定部材と一対の慣性質量要素である右側慣性質量要素と左側慣性質量要素とを有する。前記右側慣性質量要素が右側回転体と一対の前記変位箇所のうちの一方の変位箇所の往復変位を該右側回転体の正逆回転に変換する右側変換機構とをもつ。前記左側慣性質量要素が左側回転体と一対の前記変位箇所のうちの他方の変位箇所の往復変位を該左側回転体の回転に変換する左側変換機構とをもつ。
その結果、慣性質量要素の回転体と変換機構の諸元を希望の諸元にすることで、長尺部材の端部に付加する慣性質量を希望の値にすることができる。
【００１８】
また、本発明の実施形態に係る構造体の制振機構は、前記変位機構が往復運動をする往復部材と前記往復部材を往復自在に案内する案内部材とを有し、一対の前記変位箇所が前記往復部材にある一対の箇所であり、前記右側長尺部材の他方の端部が一方の前記変位箇所に連結され、前記左側長尺部材の他方の端部が他方の前記変位箇所に連結される。
上記本発明に係る実施形態の構成により、前記変位機構が往復運動をする往復部材と前記往復部材を往復自在に案内する案内部材とを有する。一対の前記変位箇所が前記往復部材にある一対の箇所である。前記右側長尺部材の他方の端部が一方の前記変位箇所に連結される。前記左側長尺部材の他方の端部が他方の前記変位箇所に連結される。
その結果、ラーメン構造が剪断変形したとき右側長尺部材及び左側長尺部材のどちらかの一方の前記長尺部材が前記変位箇所を引っ張る。
【００１９】
また、本発明の実施形態に係る構造体の制振機構は、前記変位機構が前記往復部材と前記固定部材と慣性質量要素とを有し、慣性質量要素が回転体と前記変位箇所の往復変位を該回転体の正逆回転に変換する変換機構とを持つ。
上記本発明に係る実施形態の構成により、前記変位機構が前記往復部材と前記固定部材と慣性質量要素とを有する。慣性質量要素が回転体と前記変位箇所の往復変位を該回転体の正逆回転に変換する変換機構とを持つ。
その結果、慣性質量要素の回転体と変換機構の諸元を希望の諸元にすることで、長尺部材の端部に付加する慣性質量を希望の値にすることができる。
【００２０】
また、本発明の実施形態に係る構造体の制振機構は、構造体が一つのラーメン構造である特定ラーメン構造を形成する梁と柱とに囲われる開口部を有し、一対の前記長尺部材が、複数の前記シーブに掛け渡され、一方の端部と他方の端部の間の少なくとも一部が前記特定ラーメン構造の周囲に前記開口部を避けて特定方向に沿って張られる。
上記本発明に係る実施形態の構成により構造体が一つのラーメン構造である特定ラーメン構造を形成する梁と柱とに囲われる開口部を有する。一対の前記長尺部材が、複数の前記シーブに掛け渡され、一方の端部と他方の端部の間の少なくとも一部が前記特定ラーメン構造の周囲に前記開口部を避けて特定方向に沿って張られる。
その結果、構造体の前記開口部を避けて長尺部材を掛け渡すことができる。
【００２１】
また、本発明の実施形態に係る構造体の制振機構は、前記変位機構が構造体の基礎に固定される。
上記本発明に係る実施形態の構成により、前記変位機構が構造体の基礎に固定される。
その結果、変位機構の揺動または往復する反力を基礎により支持する。
【発明の効果】
【００２２】
以上説明したように、本発明に係る構造体の制振機構は、その構成により、以下の効果を有する。
所定の回転慣性質量または慣性質量をもち揺動または移動できる様に支持または案内され揺動または移動する際に所定の方向に変位する一対の変位箇所をもつ変位機構が構造体に固定され、複数のシーブが、多層のラーメン構造に各々に固定され、前記右側長尺部材及び前記左側長尺部材が、複数の前記シーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を前記変位機構の一対の前記変位箇所の一方及び他方に連結され、構造体が変形すると、張力が前記右側長尺部材と前記左側長尺部材とに発生し、前記変位機構の一対の変位箇所が往復変位する様にするので、右側長尺部材と左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
また、所定の回転慣性質量または慣性質量をもち揺動または移動できる様に支持または案内され揺動または移動する際に所定の方向に変位する一対の変位箇所をもつ第一段変位機構と第二段変位機構とが構造体に特定方向に沿って重なって固定され、複数の第一段シーブと複数の第二段シーブとが、多層のラーメン構造に各々に固定され、
前記第一段右側長尺部材及び前記第一段左側長尺部材が、複数の前記シーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を前記第一段変位機構の一対の前記変位箇所の一方及び他方に連結され、前記第二段右側長尺部材及び前記第二段左側長尺部材が、複数の前記シーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を第二段変位機構の変位箇所に連結され他方の端部を構造体に連結され、構造体が変形すると、張力が前記右側長尺部材と前記左側長尺部材とに発生し、前記変位機構の一対の変位箇所が往復変位する様にするので、右側長尺部材と左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
また、所定の回転慣性質量または慣性質量をもち揺動または移動できる様に支持または案内され揺動または移動する際に所定の方向に変位する一対の変位箇所をもつ第一段変位機構と第二段変位機構とが構造体に特定方向に沿って離れて固定され、複数の第一段シーブと複数の第二段シーブとが、多層のラーメン構造に各々に固定され、前記第一段右側長尺部材及び前記第一段左側長尺部材が、複数の前記シーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を前記第一段変位機構の一対の前記変位箇所の一方及び他方に連結され、構造体が変形すると、張力が前記右側長尺部材と前記左側長尺部材とに発生し、前記第一段変位機構の一対の変位箇所が往復変位する様にするので、第一段右側長尺部材と第一段左側長尺部材と第二段右側長尺部材と第二段左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
また、所定の回転慣性質量または慣性質量をもち揺動または移動できる様に支持または案内され揺動または移動する際に所定の方向に変位する一対の変位箇所をもつ第一段変位機構と第二段変位機構とが構造体に特定方向に重なって固定され、第三段変位機構が重なった第一段変位機構と第二段変位機構と特定方位に沿って離れて多層のラーメン構造に各々に固定され、前記第一段右側長尺部材及び前記第一段左側長尺部材が、複数の前記シーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を前記第一段変位機構の一対の前記変位箇所の一方及び他方に連結され、前記第二段右側長尺部材及び前記第二段左側長尺部材が、複数の前記シーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を第二段変位機構の変位箇所に連結され他方の端部を前記第三段変位機構の一対の前記変位箇所の一方及び他方に連結され、構造体が変形すると、張力が前記右側長尺部材と前記左側長尺部材とに発生し、前記第一段変位機構の一対の変位箇所が往復変位する様にするので、第一段右側長尺部材と第一段左側長尺部材と第二段右側長尺部材と第二段左側長尺部材と変位機構の回転慣性質量または慣性質量で構成されるばね−マス系と構造体とが連成振動し、長尺部材のばね定数と変位機構の慣性質量を調整することで、構造体全体の振動を免震・制振できる。
また、前記右側長尺部材及び前記左側長尺部材の他方の端部が固定部材に揺動自在に支持されるシーソー部材の揺動中心を境にして点対称の位置にある一対の前記変位箇所の連結される様にしたので、ラーメン構造が剪断変形したとき右側長尺部材及び左側長尺部材のどちらかの一方の前記長尺部材が前記変位箇所を引っ張る。
また、変位機構が、回転体と前記シーソー部材の前記変位箇所の往復変位を該回転体の正逆回転に変換する変換機構とを持つ慣性質量要素をもつ様にしたので、
慣性質量要素の回転体と変換機構の諸元を希望の諸元にすることで、長尺部材の端部に付加する慣性質量を希望の値にすることができる。
また、変位機構が、回転体と前記シーソー部材の一対の前記変位箇所の前記変位箇所の往復変位を該回転体の正逆回転に変換する変換機構とを持つ一対の慣性質量要素とをもつ様にしたので、慣性質量要素の回転体と変換機構の諸元を希望の諸元にすることで、長尺部材の端部に付加する慣性質量を希望の値にすることができる。
また、前記右側長尺部材及び前記左側長尺部材の他方の端部が固定部材に往復自在に支持されるシーソー部材にある前記変位箇所の連結される様にしたので、ラーメン構造が剪断変形したとき右側長尺部材及び左側長尺部材のどちらかの一方の前記長尺部材が前記変位箇所を引っ張る。
また、変位機構が、回転体と前記往復部材の前記変位箇所の往復変位を該回転体の正逆回転に変換する変換機構とを持つ慣性質量要素をもつ様にしたので、
慣性質量要素の回転体と変換機構の諸元を希望の諸元にすることで、長尺部材の端部に付加する慣性質量を希望の値にすることができる。
また、一対の前記長尺部材が、複数の前記シーブに掛け渡され、一方の端部と他方の端部の間の少なくとも一部が開口部を囲う前記特定ラーメン構造の周囲に開口部を避けて特定方向に沿って張られる様にしたので、構造体の開口部を避けて長尺部材を掛け渡すことができる。
また、変位機構が構造体の基礎に固定される様にしたので、変位機構の揺動または往復する反力を基礎により支持する。
その結果、架構構造の特徴を生かし、より設計自由度の高い構造体の制振機構を提供できる。
【図面の簡単な説明】
【００２３】
【図１】本発明の第一の実施形態に係る建物体の制振機構の概念図その１である。
【図２】本発明の第一の実施形態に係る建物体の制振機構の概念図その２である。
【図３】本発明の第一の実施形態に係る建物体の制振機構の概念図その３である。
【図４】本発明の第一の実施形態に係る建物体の制振機構の概念図その４である。
【図５】本発明の第一の実施形態に係る建物体の制振機構の概念図その５である。
【図６】本発明の第一の実施形態に係る建物体の制振機構の概念図その６である。
【図７】本発明の第二の実施形態に係る建物体の制振機構の概念図その１である。
【図８】本発明の第二の実施形態に係る建物体の制振機構の概念図その２である。
【図９】本発明の第三の実施形態に係る建物体の制振機構の概念図その１である。
【図１０】本発明の第四の実施形態に係る建物体の制振機構の概念図その１である。
【図１１】本発明の第四の実施形態に係る建物体の制振機構の概念図その２である。
【図１２】本発明の実施形態に係る建物体の構面と特定方向のバリエーション図である。
【図１３】従来の構造体の制振機構の概念図である。
【発明を実施するための形態】
【００２４】
以下、本発明を実施するための最良の形態を、図面を参照して説明する。
【００２５】
最初に、本発明の実施形態に係る建物体の制振機構を、説明する。
【００２６】
本発明の実施形態にかかる構造体の制振機構は、構造体の基礎１１と複数の梁１２と複数の柱１３とでできた多層のラーメン構造でできた構面Ｈに設置される機構である。
複数の柱１３の下端が基礎１１に支持される。
ここで、構造体の制振機構を設置される構面を特定構面Ｈと呼称する。
特定構面Ｈは、鉛直構面であってもよい。鉛直構面を形成するラーメン構造は梁と柱とでできる。
特定構面Ｈは、水平構面であってもよい。水平構面を形成するラーメン構造は互いに交差する梁で構成される。
特定構面Ｈは、水平構面と鉛直構面とが繋がって組み合わされたものでもよい。
図１２（Ａ）に、構造体の壁面を形成する鉛直構面でできた特定構面Ｈまたは構造体の上面を形成する水平後面でできた特定構面Ｈとが示される。
図１２（Ｂ）に、構造体の壁面を形成する鉛直構面でできた特定構面Ｈが示される。
図１２（Ｃ）に、構造体の内部を形成する鉛直構面でできた特定構面Ｈ示される。
図１２（Ｄ）に、構造体の壁面と上面とを形成し繋がって組み合わされる鉛直構面と水平構面とでできた特定構面Ｈが示される。
【００２７】
本発明の実施形態にかかる構造体の制振機構は、変位機構１００と複数のシーブ２００と一対の長尺部材３００とで構成される。
【００２８】
変位機構１００は、構造体１０に固定される。
変位機構１００は、所定の回転慣性質量または慣性質量をもち揺動または移動できる様に支持または案内され揺動または移動する際に所定の方向に変位する一対の変位箇所Ｐをもつ機構である。
例えば、変位機構１００は、所定の回転慣性質量をもち揺動できる様に支持され揺動まする際に所定の方向に変位する一対の変位箇所Ｐをもつ機構である。
例えば、変位機構１００は、所定の慣性質量をもち移動できる様に案内され移動する際に所定の方向に変位する一対の変位箇所Ｐをもつ機構である。
【００２９】
シーブ２００は、多層のラーメン構造に各々に固定されるものである。
シーブ２００は、多層のラーメン構造に各々に回転自在に固定されてもよい。
例えば、シーブ２００は、多層のラーメン構造の梁１２と柱１３との交差点に回転自在に固定される。
例えば、シーブ２００は、多層のラーメン構造の梁１２と梁１３との交差点に回転自在に固定される。
図１乃至図１１に、シーブ２００は、多層のラーメン構造の梁１２と柱１３との交差点に回転自在に固定される様子が示される。
シーブ２００は、長尺部材３００を巻きかけられて回転自在に案内する案内車であってもよい。
長尺部材３００は、ケーブル、ベルト等の屈曲可能な長尺の機械要素である。
【００３０】
一対の長尺部材３００は、屈曲可能な素材ででき、一方の端部と他方の端部とを構造体の特定方向に沿って離間させる部材である。
屈曲可能な素材は、ケーブル、ベルト、等である。
特定方向は、構造体の鉛直方向、左右方向、または水平方向であってよい。
特定方向は、構造体の鉛直方向、左右方向、または水平方向の何れか一方であってよい。
図１２（Ａ）に、特定方向が鉛直方向である例と特定方向が水平方向である例が示される。
図１２（Ｂ）に、特定方向が左右方向である例が示される。
図１２（Ｃ）に、特定方向が鉛直方向である例が示される。
図１２（Ｄ）に、特定方向が鉛直方向と水平方向とが繋がった例が示される。
ここで、一対の長尺部材３００を、右側長尺部材３００Ｒと左側長尺部材３００Ｌと呼称する。
理解の容易のため、図では、右側長尺部材３００Ｒを実線で、左側長尺部材３００Ｌを破線で示す。
【００３１】
右側長尺部材３００Ｒが、複数のシーブ２００に掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を変位機構の一対の変位箇所Ｐの一方に連結される。
左側長尺部材３００Ｌが、複数のシーブ２００に掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を変位機構の一対の変位箇所Ｐの他方に連結される。
【００３２】
長尺部材３００は、端部を構造体に連結される部分である連結部の移動に連動して移動する様に連結される。
長尺部材３００は、端部を構造体に連結される部分である連結部の移動に連動して同一の移動量で同一の移動方向に移動する様に連結されてもよい。
長尺部材３００は、端部を変位機構の一対の変位箇所Ｐの連結部の移動に連動して移動する様に連結される。
長尺部材３００は、端部を変位機構の一対の変位箇所Ｐの連結部の移動に連動して同一の移動量で同一の移動方向に移動する様に連結されてもよい。
【００３３】
右側長尺部材３００Ｒが、複数のシーブ２００に掛け渡され、一方の端部と他方の端部の間の少なくとも一部がラーメン構造の対角に位置する一対の隅部の間に一方の傾斜方向に沿って斜めに張られ、他の部分を特定方向に交差する方向に沿って張られて構造体の構面に沿って全体としてジグザクを描き、一方の端部を構造体に連結され他方の端部を変位機構の一対の変位箇所Ｐの一方に連結されてもよい。
左側長尺部材３００Ｌが、複数のシーブ２００に掛け渡され、一方の端部と他方の端部の間の少なくとも一部がラーメン構造の対角に位置する一対の隅部の間に他方の傾斜方向に沿って斜めに張られ、他の部分を特定方向に交差する方向に沿って張られて構造体の構面に沿って全体としてジグザクを描き、一方の端部を構造体に連結され他方の端部を変位機構の一対の変位箇所Ｐの他方に連結されてもよい。
【００３４】
右側長尺部材３００Ｒが、複数のシーブ２００に掛け渡され、一方の端部と他方の端部の間の少なくとも一部がラーメン構造の対角に位置する一対の隅部の間に一方の傾斜方向に沿って斜めに張られ、他の部分を特定方向または特定方向に交差する方向に沿って張られて構造体の構面に沿って全体としてジグザクを描き、一方の端部を構造体に連結され他方の端部を変位機構の一対の変位箇所Ｐの一方に連結されてもよい。
左側長尺部材３００Ｌが、複数のシーブ２００に掛け渡され、一方の端部と他方の端部の間の少なくとも一部がラーメン構造の対角に位置する一対の隅部の間に他方の傾斜方向に沿って斜めに張られ、他の部分を特定方向または特定方向に交差する方向に沿って張られて構造体の構面に沿って全体としてジグザクを描き、一方の端部を構造体に連結され他方の端部を変位機構の一対の変位箇所Ｐの他方に連結されてもよい。
【００３５】
構造体が交番荷重を受けて変形すると、張力が右側長尺部材３００Ｒと左側長尺部材３００Ｌとに発生し、変位機構の一対の変位箇所Ｐが往復変位する。
例えば、構造体が交番荷重を受けて変形すると、張力が右側長尺部材３００Ｒと左側長尺部材３００Ｌとに交互に発生し、変位機構の一対の変位箇所Ｐが往復変位する。
例えば、構造体が交番荷重を受けて変形すると、張力が右側長尺部材３００Ｒと左側長尺部材３００Ｌとに交互に発生し、変位機構の一対の変位箇所Ｐが同一方向に往復変位してもよい。
例えば、構造体が交番荷重を受けて変形すると、張力が右側長尺部材３００Ｒと左側長尺部材３００Ｌとに交互に発生し、変位機構の一対の変位箇所Ｐが反対方向に往復変位してもよい。
【００３６】
変位機構１００は、シーソー部材１０１と固定部材１０２とで構成されてもよい。
シーソー部材１０１は、一点を中心に揺動運動をする部材である。
固定部材１０２は、シーソー部材を揺動自在に固定する部材である。
変位箇所Ｐが、シーソー部材１０１の揺動中心を境にして点対称の位置にある一対の箇所である。
右側長尺部材３００Ｒの他方の端部が一方の変位箇所Ｐに連結され、左側長尺部材３００Ｌの他方の端部が他方の変位箇所Ｐに連結される。
右側長尺部材３００Ｒと左側長尺部材３００Ｌとが交差して、右側長尺部材３００Ｒの  他方の端部が一方の変位箇所Ｐに連結され、左側長尺部材３００Ｌの他方の端部が他方の変位箇所Ｐに連結されてもよい。
構造体が交番荷重を受けて変形すると、張力が右側長尺部材３００Ｒと左側長尺部材３００Ｌとに発生し、変位機構の一対の変位箇所Ｐが反対方向に往復変位する。
例えば、構造体が交番荷重を受けて変形すると、張力が右側長尺部材３００Ｒと左側長尺部材３００Ｌとに発生し、変位機構の一対の変位箇所Ｐが反対方向に往復変位する。
【００３７】
変位機構１００が、シーソー部材１０１と固定部材１０２と慣性質量要素１０３とで構成されてもよい。
シーソー部材１０１は、一点を中心に揺動運動をする部材である。
固定部材１０２は、シーソー部材を揺動自在に固定する部材である。
慣性質量要素１０３は、回転体と変換機構とフレームとを持つ。
回転体は、フレームに回転自在に支持される部材である。
変換機構は、往復変位を該回転体の正逆回転に変換する機構である。
例えば、変換機構は、シーソー部材の変位箇所Ｐの往復変位を該回転体の正逆回転に変換する機構である。
フレームは、回転体を回転自在に支持する。
例えば、変換機構は雄螺子を掲載されるロッド部材と雄螺子に係合する雌螺子を掲載されるナット部材である。
回転体は、ナット部材に固定され、ナット部材の回転に連動して回転する。
例えば、慣性質量要素１０３は、ロッド部材とフレームとの一方を変位箇所Ｐに連結し、ロッド部材とフレームとの他方を構造体１０に連結する。
例えば、慣性質量要素１０３は、ロッド部材とフレームとの一方を変位箇所Ｐに連結し、ロッド部材とフレームとの他方を梁１２に連結する。
ロッド部材が長手方向に移動すると回転体が移動距離に対応する回転量だけ回転する。
その結果、ロッド部材には、変位箇所Ｐの加速度に比例する慣性反力が生ずる。
粘性流体が回転体とフレーとの隙間に浸されていてもよい。
その結果、ロッド部材には、変位箇所Ｐの速度に比例する粘性反力が生ずる。
【００３８】
変位機構１００が、シーソー部材１０１と固定部材１０２と一対の慣性質量要素１０３とで構成されてもよい。
一対の慣性質量要素１０３を、右側慣性質量要素１０３Ｒと左側慣性質量要素１０３Ｌと呼称する。
右側慣性質量要素１０３Ｒが右側回転体と右側変換機構と右側フレームとで構成される。
右側変換機構１００Ｒが、一対の変位箇所Ｐのうちの一方の変位箇所Ｐの往復変位を該右側回転体の正逆回転に変換する。
左側慣性質量要素１０３Ｌが左側回転体と左側変換機構と左側フレームとで構成される。
左側変換機構１００Ｌが、一対の変位箇所Ｐのうちの他方の変位箇所Ｐの往復変位を該左側回転体の回転に変換する。
【００３９】
構造体が一つのラーメン構造である特定ラーメン構造を形成する梁１２と柱１３とに囲われる開口部Ｗを有しており、一対の長尺部材が、複数のシーブに掛け渡され、一方の端部と他方の端部の間の少なくとも一部が特定ラーメン構造の周囲に開口部Ｗを避けて特定方向に沿って張られてもよい。
例えば、構造体が一つのラーメン構造である特定ラーメン構造を形成する梁と柱とに囲われる開口部を有しており、一対の長尺部材が、複数のシーブに掛け渡され、一方の端部と他方の端部の間の少なくとも一部が特定ラーメン構造の周囲に梁または柱のうち特定方向に沿って張られる。
この様にすると開口部を形成する特定ラーメン構造の対角の隅部に長尺部材が掛け渡されることがなく、開口部を開放できる。
開口部は、構造体の出入口を形成する部分または内部空間を形成する部分である。
【００４０】
変位機構１００は、基礎１１に固定されてもよい。
基礎１１は、土地等をベースとして構造体の重量を支持する部分である。
この様にすると、変位機構１００の質量が構造体の固有振動数に影響を与えない。
【００４１】
変位機構１００が、往復部材１０４と案内部材１０５とで構成されてもよい。
往復部材１０４が、往復運動する部材である。
案内部材１０５は、往復部材１０４を往復自在に案内する部材である。
変位箇所Ｐが往復部材にある箇所である。
例えば、変位箇所Ｐが往復部材にある一対の箇所である。
右側長尺部材３００Ｒの他方の端部が一方の変位箇所Ｐに連結され、左側長尺部材３００Ｌの他方の端部が他方の変位箇所Ｐに連結される。
構造体が交番荷重を受けて変形すると、張力が右側長尺部材３００Ｒと左側長尺部材３００Ｌとに発生し、変位機構の一対の変位箇所Ｐが同一方向に往復変位する。
例えば、構造体が交番荷重を受けて変形すると、張力が右側長尺部材３００Ｒと左側長尺部材３００Ｌとに交互に発生し、変位機構の一対の変位箇所Ｐが同一方向に往復変位する。
【００４２】
変位機構１００は、往復部材１０４と案内部材１０５と慣性質量要素１０６とで構成されてもよい。
往復部材１０４は、往復運動する部材である。
案内部材１０５は、往復部材を往復自在に案内する部材である。
慣性質量要素１０６は、回転体と変換機構とフレームとで構成されてもよい。
回転体は、フレームに回転自在に支持される部材である。
変換機構は、往復変位を該回転体の正逆回転に変換する機構である。
例えば、変換機構は、変位箇所Ｐの往復変位を該回転体の正逆回転に変換する機構である。
例えば、変換機構が雄螺子を掲載されるロッド部材と雄螺子に係合する雌螺子を掲載されるナット部材である。
回転体は、ナット部材に固定される。
ロッド部材が長手方向に移動すると回転体が移動距離に対応する回転量だけ回転する。
その結果、ロッド部材に、変位箇所Ｐの加速度に比例する慣性反力が生ずる。
粘性流体が回転体とフレームの隙間に浸されていてもよい。
その結果、ロッド部材に、変位箇所Ｐの速度に比例する粘性反力が生ずる。
【００４３】
以下に、本発明の複数の実施形態にかかる構造体の制振機構を、図を基に詳述する。
【００４４】
最初に、本発明の第一の実施形態にかかる構造体の制振機構を、図を基に、詳述する。
図１は、本発明の第一の実施形態に係る建物体の制振機構の概念図その１である。図２は、本発明の第一の実施形態に係る建物体の制振機構の概念図その２である。図３は、本発明の第一の実施形態に係る建物体の制振機構の概念図その３である。図４は、本発明の第一の実施形態に係る建物体の制振機構の概念図その４である。図５は、本発明の第一の実施形態に係る建物体の制振機構の概念図その５である。図６は、本発明の第一の実施形態に係る建物体の制振機構の概念図その６である。
以下では、発明の便宜上、特定構面が構造体の壁面を形成し、特定方向が鉛直方向である場合を例にして説明する。
【００４５】
本発明の第一の実施形態に係る建物体の制振機構は、変位機構１００と複数のシーブ２００と一対の長尺部材である右側長尺部材３００Ｒと左側長尺部材３００Ｌとで構成される。
図１乃至６は、本発明の第一の実施形態に係る建物体の制振機構の一例を示す。
図中で、理解の容易のため、一対の長尺部材３００の一方を実線で、一対の長尺部材３００の一方を破線で示す。
図１乃至６では、構造体の制振機構が、構造体の外壁を形成する構面に設置される。
ここで、構造体の制振機構を設置される構面を特定構面Ｈと呼称する。
【００４６】
図１は、本発明の第一の実施形態に係る建物体の制振機構の概念図その１を示す。  
変位機構１００が構造体１０の基礎１１に固定される。
変位機構１００は、シーソー部材１０１と固定部材１０２とで構成される。
図１には、シーソー部材１０１と固定部材１０２とで構成される変位機構１００が基礎１１に固定される様子が示される。
【００４７】
複数のシーブ２００が、構造体の特定構面Ｈに設置される構造体の柱１３と梁１２との交差箇所に配置される。
複数の案内車２００が柱１３と梁１２の交差部に固定される様子を示す。
【００４８】
一対の長尺部材３００が、屈曲可能な素材ででき、一方の端部と他方の端部とを構造体の鉛直方向に沿って離間させる。
例えば、屈曲可能な素材は、ケーブル、ベルト、等である。
右側長尺部材３００Ｒが、複数のシーブ２００に掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され他方の端部を変位機構の一対の変位箇所Ｐの一方に連結される。
左側長尺部材３００Ｌが、複数のシーブ２００に掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され他方の端部を変位機構の一対の変位箇所Ｐの他方に連結される。
【００４９】
図１は、右側長尺部材３００Ｒが、複数のシーブ２００に掛け渡され、一方の端部と他方の端部の間の少なくとも一部がラーメン構造の対角に位置する一対の隅部の間に右上から左下の傾斜方向に沿って斜めに張られて他の部分が梁１２に沿って張られ、構造体の構面に沿って全体としてジグザクを描き、一方の端部を構造体に連結され他方の端部を変位機構の一対の変位箇所Ｐの一方に連結され、左側長尺部材３００Ｌが、複数のシーブ２００に掛け渡され、一方の端部と他方の端部の間の少なくとも一部がラーメン構造の対角に位置する一対の隅部の間の左上から右下の傾斜方向に沿って斜めに張られて、他の部分が梁１２に沿って張られ、構造体の構面に沿って全体としてジグザクを描き、一方の端部を構造体に連結され他方の端部を変位機構の一対の変位箇所Ｐの他方に連結される、様子を示す。
この様にすると構造体に交番荷重が作用し、上部が左から右に移動する様に変形するとラーメン構造の対角に位置する一対の隅部の間に右上から左下の傾斜方向に沿った距離が長くなり、ラーメン構造の対角に位置する一対の隅部の間の左上から右下の傾斜方向に沿った距離が短くなり、逆に上部が左から右に移動する様に変形するとラーメン構造の対角に位置する一対の隅部の間の右上から左下の傾斜方向に沿った距離が短くなり、ラーメン構造の対角に位置する一対の隅部の間の左上から右下の傾斜方向に沿った距離が長くなる。
その結果、構造体が交番荷重を受けて変形すると、張力が右側長尺部材３００Ｒと左側長尺部材３００Ｌとに発生し、変位機構１００の一対の変位箇所Ｐが往復変位し、変位機構１００のシーソー部材１０１が揺動運動するので、右側長尺部材３００Ｒと左側長尺部材３００Ｌとに変位箇所Ｐの加速度に比例する大きさの反力が発生する。
例えば、構造体が交番荷重を受けて変形すると、張力が右側長尺部材３００Ｒと左側長尺部材３００Ｌとに交互に発生し、変位機構１００の一対の変位箇所Ｐが往復変位し、変位機構１００のシーソー部材１０１が揺動運動するので、右側長尺部材３００Ｒと左側長尺部材３００Ｌとに変位箇所Ｐの加速度に比例する大きさの反力が発生する。
【００５０】
図２は、本発明の第一の実施形態にかかる建物体の制振機構の概念図その２を示す
本発明の第一の実施形態にかかる建物体の制振機構は、変位機構１００と複数のシーブ２００と一対の長尺部材３００とで構成される。
【００５１】
変位機構１００が、構造体の基礎１１に固定される。
変位機構１００は、シーソー部材１０１と固定部材１０２と１個の慣性質量要素１０３とで構成される。
図２に、シーソー部材１０１と固定部材１０２と１個の慣性質量要素１０３とで構成される変位機構１００が基礎１１に固定される様子が示される。
シーソー部材１０１が揺動運動すると、１個の慣性質量要素１０３のロッド部材が上下運動し、回転体が回転する。
その結果、シーソー部材１０１がシーソー運転すると、変位箇所Ｐの加速度に比例する反力が、長尺部材に張力として作用する。
【００５２】
複数のシーブ２００と一対の長尺部材３００の構成は、本発明の第一の実施形態に係る建物体の制振機構の概念図その１のものと同じなので、説明を省略する。
【００５３】
図３は、本発明の第一の実施形態にかかる建物体の制振機構の概念図その３を示す
本発明の第一の実施形態にかかる建物体の制振機構は、変位機構１００と複数のシーブ２００と一対の長尺部材３００とで構成される。
【００５４】
変位機構１００が構造体１０の基礎１１に固定される。
変位機構１００は、シーソー部材１０１と固定部材１０２と一対の慣性質量要素１０３とで構成される。
図３に、シーソー部材１０１と固定部材１０２と一対の慣性質量要素１０３とで構成される変位機構１００が基礎１１に固定される様子が示される。
一対の慣性質量要素１０３のロッド部がシーソー部材１０１の一対の変位箇所Ｐに連結される。
シーソー部材１０１が揺動運動すると、一対の慣性質量要素１０３のロッド部材が上下運動し、回転体が回転する。
その結果、シーソー部材１０１がシーソー運転すると、変位箇所Ｐの加速度に比例する反力が、右側長尺部材３００Ｒまたは左側長尺部材３００Ｌに張力として作用する。
【００５５】
複数のシーブ２００と一対の長尺部材３００の構成は、本発明の第一の実施形態に係る建物体の制振機構の概念図その１のものと同じなので、説明を省略する。
【００５６】
図４は、本発明の第一の実施形態にかかる建物体の制振機構の概念図その４を示す。
本発明の第一の実施形態にかかる建物体の制振機構は、変位機構１００と複数のシーブ２００と一対の長尺部材３００とで構成される。
変位機構１００と複数のシーブ２００の構成は、本発明の第一の実施形態にかかる建物体の制振機構の概念図その１に示すものと同じなので、説明を省略する。
【００５７】
構造体が、一つのラーメン構造である特定ラーメン構造を形成する梁と柱とに囲われ箇所に、開口部Ｗを有する。
一対の長尺部材３００が、複数のシーブ２００に掛け渡され、一方の端部と他方の端部の間の少なくとも一部が特定ラーメン構造を形成する梁または柱に沿って張られる。
一対の長尺部材３００を、右側長尺部材３００Ｒと左側長尺部材３００Ｌと呼称する。
右側長尺部材３００Ｒが、複数のシーブ２００に掛け渡され、一方の端部と他方の端部の間の少なくとも一部がラーメン構造の対角に位置する一対の隅部の間に一方の傾斜方向に沿って斜めに張られて、特定ラーメン構造の周囲に開口部を避けて特定方向Ｄに沿って張られて、構造体の構面に沿って全体としてジグザクを描き、一方の端部を構造体に連結され他方の端部を変位機構１００の一対の変位箇所Ｐの一方に連結される。
左側長尺部材が、複数のシーブ２００に掛け渡され、一方の端部と他方の端部の間の少なくとも一部がラーメン構造の対角に位置する一対の隅部の間に他方の傾斜方向に沿って斜めに張られ、特定ラーメン構造の周囲に開口部を避けて特定方向Ｄに沿って張られて構造体の構面に沿って全体としてジグザクを描き、一方の端部を構造体に連結され他方の端部を変位機構１００の一対の変位箇所Ｐの他方に連結される。
【００５８】
右側長尺部材３００Ｒが、複数のシーブ２００に掛け渡され、一方の端部と他方の端部の間の少なくとも一部がラーメン構造の対角に位置する一対の隅部の間に一方の傾斜方向に沿って斜めに張られて、特定ラーメン構造の周囲に開口部を避けて特定方向に沿って張られて他の部分を特定方向に直交する方向に沿って張られて、構造体の構面に沿って全体としてジグザクを描き、一方の端部を構造体に連結され他方の端部を変位機構１００の一対の変位箇所Ｐの一方に連結されてもよい。
左側長尺部材３００Ｌが、複数のシーブ２００に掛け渡され、一方の端部と他方の端部の間の少なくとも一部がラーメン構造の対角に位置する一対の隅部の間に他方の傾斜方向に沿って斜めに張られ、特定ラーメン構造の周囲に開口部を避けて特定方向に沿って張られて、他の部分を特定方向に直交する方向に沿って張られて、構造体の構面に沿って全体としてジグザクを描き、一方の端部を構造体に連結され他方の端部を変位機構１００の一対の変位箇所Ｐの他方に連結されてもよい。
【００５９】
特定方向が鉛直方向であるときに、右側長尺部材３００Ｒが、複数のシーブに掛け渡され、一方の端部と他方の端部の間の少なくとも一部がラーメン構造の対角に位置する一対の隅部の間に一方の傾斜方向に沿って斜めに張られて、特定ラーメン構造の柱１３に沿って張られ、他の部分を梁１２に沿って張られ、構造体の構面に沿って全体としてジグザクを描き、一方の端部を構造体に連結され他方の端部を変位機構の一対の変位箇所Ｐの一方に連結されてもよい。
左側長尺部材が、複数のシーブに掛け渡され、一方の端部と他方の端部の間の少なくとも一部がラーメン構造の対角に位置する一対の隅部の間に他方の傾斜方向に沿って斜めに張られ、特定ラーメン構造の柱１３に沿って張られ、、他の部分を梁１２に沿って張られ、構造体の構面に沿って全体としてジグザクを描き、一方の端部を構造体に連結され他方の端部を変位機構の一対の変位箇所Ｐの他方に連結されてもよい。
【００６０】
図４は、右側長尺部材３００Ｒが、複数のシーブ２００に掛け渡され、一方の端部と他方の端部の間の少なくとも一部がラーメン構造の対角に位置する一対の隅部の間に一方の傾斜方向に沿って斜めに張られて、他の部分が梁１２または特定ラーメン構造の片側の柱１３に沿って張られ、構造体の構面に沿って全体としてジグザクを描き、一方の端部を構造体に連結され他方の端部を変位機構１００の一対の変位箇所Ｐの一方に連結される様子が示される。
図４は、左側長尺部材３００Ｌが、複数のシーブ２００に掛け渡され、一方の端部と他方の端部の間の少なくとも一部がラーメン構造の対角に位置する一対の隅部の間に他方の傾斜方向に沿って斜めに張られ、他の部分が梁１２または特定ラーメン構造の上部の梁１２と片側の柱１３とに沿って張られ、て構造体の構面に沿って全体としてジグザクを描き、一方の端部を構造体に連結され他方の端部を変位機構１００の一対の変位箇所Ｐの他方に連結される様子が示される。
【００６１】
図５は、本発明の第一の実施形態に係る建物体の制振機構の概念図その５である。
本発明の第一の実施形態に係る建物体の制振機構の概念図その５は、変位機構１００と複数のシーブ２００と一対の長尺部材３００とで構成される。
【００６２】
変位機構１００は、往復部材１０４と案内部材１０５とで構成される。
往復部材１０４は、変位機構が往復運動をする部材である。
案内部材１０５は、往復部材１０４を往復自在に案内する部材である。
変位箇所Ｐが往復部材にある一対の箇所である。
右側長尺部材３００Ｒの他方の端部が一方の変位箇所Ｐに連結され、
左側長尺部材３００Ｌの他方の端部が他方の変位箇所Ｐに連結される。
往復部材１０４が往復運動すると、変位箇所Ｐの加速度に比例する反力が、右側長尺部材３００Ｒと左側長尺部材３００Ｌの一方に交互に作用する。
【００６３】
複数のシーブ２００と一対の長尺部材３００の構成は、本発明の第一の実施形態に係る建物体の制振機構の概念図その１のものと同じなので、説明を省略する。
【００６４】
図６は、本発明の第一の実施形態に係る建物体の制振機構の概念図その６である。
本発明の第一の実施形態に係る建物体の制振機構の概念図その５は、変位機構１００と複数のシーブ２００と一対の長尺部材３００とで構成される。
【００６５】
変位機構１００は、往復部材１０４と案内部材１０５と慣性質量要素１０６とで構成される。
往復部材１０４は、往復運動をする部材である。
案内部材１０５は、往復部材１０４を往復自在に案内する部材である。
慣性質量要素１０６は、回転体と変換機構とフレームとで構成されてもよい。
変換機構は、変位箇所Ｐの往復変位を該回転体の正逆回転に変換する機構である。
例えば、変換機構が雄螺子を掲載されるロッド部材と雄螺子に係合する雌螺子を掲載されるナット部材である。
回転体は、ナット部材に固定される。
回転体は、フレームに回転自在に支持される。
ロッド部材が長手方向に移動すると回転体が移動距離に対応する回転量だけ回転する。
その結果、ロッド部材には、変位箇所Ｐの加速度に比例する慣性反力が生ずる。
回転体が粘性流体に浸されていてもよい。
その結果、ロッド部材には、変位箇所Ｐの速度に比例する粘性反力が生ずる。
一対の変位箇所Ｐが往復部材１０４に位置する箇所である。
右側長尺部材３００Ｒの他方の端部が一方の変位箇所Ｐに連結され、左側長尺部材３００Ｌの他方の端部が他方の変位箇所Ｐに連結される。
往復部材１０４が往復運動すると、変位箇所Ｐの加速度に比例する反力が、右側長尺部材３００Ｒと左側長尺部材３００Ｌの何方か一方に交互に作用する。
【００６６】
複数のシーブ２００と一対の長尺部材３００の構成は、本発明の第一の実施形態に係る建物体の制振機構の概念図その１のものと同じなので、説明を省略する。
【００６７】
次に、本発明の第二の実施形態にかかる構造体の制振機構を、図を基に、詳述する。
図７は、本発明の第二の実施形態に係る建物体の制振機構の概念図その１である。
【００６８】
本発明の第二の実施形態に係る建物体の制振機構は、複数段の変位機構１００と複数段のシーブ２００と複数段の一対の長尺部材とで構成される。
【００６９】
複数段の変位機構１００は、第一段変位機構１１０と第二段変位機構１２０とで構成される。
変位機構１００は、所定の回転慣性質量または慣性質量をもち揺動または移動できる様に支持または案内され揺動または移動する際に所定の方向に変位する一対の変位箇所Ｐをもつ。
第一段変位機構１１０と第二段変位機構１２０とが特定方向に沿って重なって構造体に固定される。
図７は、第一段変位機構１１０と第二段変位機構１２０とが構造体の特定の梁である特定梁１２ａを間に挟んで鉛直方向に重なり構造体の特定梁１２ａに固定される様子を示す。
【００７０】
複数段のシーブ２００は、複数の第一段シーブ２１０と複数の第二段シーブ２２０とで構成される。
シーブ２００は、多層のラーメン構造に各々に回転自在に固定されてもよい。
例えば、シーブ２００は、長尺部材を巻きかけられて回転自在に案内する案内車であってもよい。
複数の第一段シーブ２１０と複数の第二段シーブ２２０とは、特定方向に沿って第一段変位機構１１０と第二段変位機構１２０とを固定する箇所を境にして、配置されてもよい。
例えば、複数の第一段シーブ２１０と複数の第二段シーブ２２０とは、特定方向に沿って特定梁１２ａを境にして、配置される。
図７に、複数の第一段シーブ２１０と複数の第二段シーブ２２０とが、鉛直方向に沿って特定梁１２ａを境にして、配置されている様子が示される。
【００７１】
複数段の一対の長尺部材は、第一段右側長尺部材３１０Ｒと第一段左側長尺部材３１０Ｌと第二段右側長尺部材３２０Ｒと第に二段左側長尺部材３２０Ｌとで構成される。
【００７２】
第一段右側長尺部材３１０Ｒが、複数の第一段シーブ２１０に掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体１０に連結され、他方の端部を第一段変位機構１１０の一対の変位箇所Ｐの一方に連結される。
第一段左側長尺部材３１０Ｌが、複数の第一段シーブ２１０に掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体１０に連結され、他方の端部を第一段変位機構１１０の一対の変位箇所Ｐの他方に連結される。
第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構１２０の一対の変位箇所Ｐの他方に連結され、他方の端部を構造体１０に連結される。
第二左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構１２０の一対の変位箇所Ｐの一方に連結され、他方の端部を構造体１０に連結される。
【００７３】
第一段右側長尺部材３１０Ｒが、複数の第一段シーブ２１０に掛け渡され、一方の端部と他方の端部の間の少なくとも一部がラーメン構造の対角に位置する一対の隅部の間に一方の傾斜方向に沿って斜めに張られて、他の部分が特定方向に直交する向きに沿って張られ、構造体の構面に沿って全体としてジグザクを描き、一方の端部を構造体１０に連結され、他方の端部を第一段変位機構１１０の一対の変位箇所Ｐの一方に連結される。
第一段左側長尺部材３１０Ｌが、複数の第一段シーブ２１０に掛け渡され、一方の端部と他方の端部の間の少なくとも一部がラーメン構造の対角に位置する一対の隅部の間に他方の傾斜方向に沿って斜めに張られ、他の部分が特定方向に直交する向きに沿って張られ、構造体の構面に沿って全体としてジグザクを描き、一方の端部を構造体１０に連結され、他方の端部を第一段変位機構１１０の一対の変位箇所Ｐの他方に連結される。
第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られ、他の部分が特定方向に直交する向きに沿って張られ、構造体の構面に沿って全体としてジグザクを描き、一方の端部を第二段変位機構１２０の一対の変位箇所Ｐの他方に連結され、他方の端部を構造体１０に連結される。
第二左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られ、他の部分が特定方向に直交する向きに沿って張られ、構造体の構面に沿って全体としてジグザクを描き、一方の端部を第二段変位機構１２０の一対の変位箇所Ｐの一方に連結され、他方の端部を構造体１０に連結される。
【００７４】
構造体１０が交番荷重を受けて変形すると、張力が第一段右側長尺部材３１０Ｒと第一段左側長尺部材３１０Ｌとに発生し、張力が第二段右側長尺部材３２０Ｒと第二段左側長尺部材３２０Ｌとに発生し、第一段変位機構１１０の一対の変位箇所Ｐが変位し、第二段変位機構１２０の一対の変位箇所Ｐが変位する。
例えば、構造体１０が交番荷重を受けて変形すると、張力が第一段右側長尺部材３１０Ｒと第一段左側長尺部材３１０Ｌとに交互に発生し、張力が第二段右側長尺部材３２０Ｒと第二段左側長尺部材３２０Ｌとに交互に発生し、第一段変位機構１１０の一対の変位箇所Ｐが変位し、第二段変位機構１２０の一対の変位箇所Ｐが変位する。
【００７５】
図７に、第一段右側長尺部材３１０Ｒが、複数の第一段シーブ２１０に掛け渡され、一方の端部と他方の端部の間の少なくとも一部がラーメン構造の対角に位置する一対の隅部の間に一方の傾斜方向に沿って斜めに張られて、他の部分が梁１２に沿って張られて、構造体の構面に沿って全体としてジグザクを描き、一方の端部を構造体に連結され、他方の端部を第一段変位機構１１０の一対の変位箇所Ｐの一方に連結され、
第一段左側長尺部材３１０Ｌが、複数の第一段シーブ２１０に掛け渡され、一方の端部と他方の端部の間の少なくとも一部がラーメン構造の対角に位置する一対の隅部の間に他方の傾斜方向に沿って斜めに張られて他の部分が梁１２に沿って張られて、構造体の構面に沿って全体としてジグザクを描き、一方の端部を構造体に連結され、他方の端部を第一段変位機構１１０の一対の変位箇所Ｐの他方に連結される様子を示される。
図７に、第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られて他の部分が梁１２に沿って張られて、構造体の構面に沿って全体としてジグザクを描き、一方の端部を第二段変位機構１２０の一対の変位箇所Ｐの他方に連結され、他方の端部を構造体に連結され、
第二左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られて他の部分が梁１２に沿って張られて、構造体の構面に沿って全体としてジグザクを描き、一方の端部を第二段変位機構１２０の一対の変位箇所Ｐの一方に連結され、他方の端部を構造体に連結される様子を示される。
【００７６】
図８は、本発明の第二の実施形態に係る建物体の制振機構の概念図その２である。
【００７７】
本発明の第二の実施形態に係る建物体の制振機構その２は、複数段の変位機構１００と複数段のシーブ２００と複数段の一対の長尺部材とで構成される。
【００７８】
複数段の変位機構１００は、第一段変位機構１１０と第二段変位機構１２０と慣性質量要素１０６とで構成される。
変位機構１００は、所定の回転慣性質量または慣性質量をもち揺動または移動できる様に支持または案内され揺動または移動する際に所定の方向に変位する一対の変位箇所Ｐをもつ。
第一段変位機構１１０と第二段変位機構１２０とが特定方向に沿って重なって構造体に固定される。
図８は、第一段変位機構１１０と第二段変位機構１２０とが構造体の特定の梁である特定梁１２ａを間に挟んで鉛直方向に重なり構造体の特定梁１２ａに固定される様子を示す。
慣性質量要素１０６は、回転体と変換機構とフレームとで構成されてもよい。
慣性質量要素１０６は、上下に重なる変位機構の変位箇所Ｐに連結される。
例えば、ロッド部が上段の第一段変位機構の変位箇所Ｐに連結され、フレームが下段の第に段変位機構の変位箇所Ｐに連結される。
変換機構は、変位箇所Ｐの往復変位を該回転体の正逆回転に変換する機構である。
例えば、変換機構が雄螺子を掲載されるロッド部材と雄螺子に係合する雌螺子を掲載されるナット部材である。
回転体は、ナット部材に固定される。
回転体は、フレームに回転自在に支持される。
ロッド部が第一段変位機構１１０または第二段変位機構１２の一方の変位箇所Ｐに連結され、フレームが第一段変位機構１１０または第二段変位機構１２の他方の変位箇所Ｐに連結される。
ロッド部材が長手方向に移動すると回転体が移動距離に対応する回転量だけ回転する。
その結果、ロッド部材には、上下に重なる変位機構の変位箇所Ｐの相対加速度に比例する慣性反力が生ずる。
回転体が粘性流体に浸されていてもよい。
その結果、ロッド部材には、上下に重なる変位機構の変位箇所Ｐの相対速度に比例する粘性反力が生ずる。
【００７９】
複数のシーブ２００と複数段の一対の長尺部材の構成は、本発明の第二の実施形態に係る建物体の制振機構の概念図その１のものと同じなので、説明を省略する。
【００８０】
次に、本発明の第三の実施形態にかかる構造体の制振機構を、図を基に、詳述する。
図９は、本発明の第三の実施形態に係る建物体の制振機構の概念図その１である。
【００８１】
本発明の第三の実施形態に係る建物体の制振機構その１は、複数段の変位機構１００と複数段のシーブ２００と複数段の一対の長尺部材とで構成される。
【００８２】
複数段の変位機構１００は、第一段変位機構１１０と第三段変位機構１３０とで構成される。
第一段変位機構１１０と第三段変位機構１３０とが特定方向に沿って離れて構造体に固定される。
第一段変位機構１１０と第三段変位機構１３０とが鉛直方向に沿って離れて構造体に固定されてもよい。
例えば、第一段変位機構１００が、複数の梁１２のうちの特定の梁である特定梁１２ａに固定される。
例えば、第三段変位機構１３０が基礎１１に固定される。
【００８３】
複数のシーブ２００は、第二の実施形態にかかる構造体の制振機構のものと同じなので、説明を省略する。
【００８４】
第一段右側長尺部材３１０Ｒが、複数の第一段シーブ２１０に掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され。他方の端部を第一段変位機構１１０の一対の変位箇所Ｐの一方に連結される。
第一段左側長尺部材３１０Ｌが、複数の第一段シーブ２１０に掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を第一段変位機構１１０の一対の変位箇所Ｐの他方に連結される。
第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され、他方の端部を第三段変位機構１３０の一対の変位箇所Ｐの他方に連結され連結される。
第二左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を第三段変位機構１３０の一対の変位箇所Ｐの一方に連結される。
【００８５】
第一段右側長尺部材３１０Ｒが、複数の第一段シーブ２１０に掛け渡され、一方の端部と他方の端部の間の少なくとも一部がラーメン構造の対角に位置する一対の隅部の間に一方の傾斜方向に沿って斜めに張られ、他の部分が特定方向に直交する向きに張られ、構造体の構面に沿って全体としてジグザクを描き、一方の端部を構造体に連結され。他方の端部を第一段変位機構１１０の一対の変位箇所Ｐの一方に連結されてもよい。
第一段左側長尺部材３１０Ｌが、複数の第一段シーブ２１０に掛け渡され、一方の端部と他方の端部の間の少なくとも一部がラーメン構造の対角に位置する一対の隅部の間に他方の傾斜方向に沿って斜めに張られ他の部分が特定方向に直交する向きに張られ、構造体の構面に沿って全体としてジグザクを描き、一方の端部を構造体に連結され、他方の端部を第一段変位機構１１０の一対の変位箇所Ｐの他方に連結されてもよい。
第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られ他の部分が特定方向に直交する向きに張られ、構造体の構面に沿って全体としてジグザクを描き、一方の端部を構造体に連結され、他方の端部を第三段変位機構１３０の一対の変位箇所Ｐの他方に連結され連結されてもよい。
第二段左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られ他の部分が特定方向に直交する向きに張られ、構造体の構面に沿って全体としてジグザクを描き、一方の端部を構造体に連結され、他方の端部を第三段変位機構１３０の一対の変位箇所Ｐの一方に連結されてもよい。
【００８６】
図９に、第一段右側長尺部材３１０Ｒが、複数の第一段シーブに掛け渡され、一方の端部と他方の端部の間の少なくとも一部がラーメン構造の対角に位置する一対の隅部の間に一方の傾斜方向に沿って斜めに張られて、他の部分が梁１２に沿って張られ、構造体の構面に沿って全体としてジグザクを描き、一方の端部を構造体に連結され。他方の端部を第一段変位機構１１０の一対の変位箇所Ｐの一方に連結され、
第一段左側長尺部材３１０Ｌが、複数の第一段シーブに掛け渡され、一方の端部と他方の端部の間の少なくとも一部がラーメン構造の対角に位置する一対の隅部の間に他方の傾斜方向に沿って斜めに張られて、他の部分が梁１２に沿って張られ、構造体の構面に沿って全体としてジグザクを描き、一方の端部を構造体に連結され、他方の端部を第一段変位機構１１０の一対の変位箇所Ｐの他方に連結される、様子を示される。
図９に、第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られて、他の部分が梁１２に沿って張られ、構造体の構面に沿って全体としてジグザクを描き、一方の端部を構造体に連結され、他方の端部を第三段変位機構１３０の一対の変位箇所Ｐの他方に連結され連結され、第二左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られて、他の部分が梁１２に沿って張られ、構造体の構面に沿って全体としてジグザクを描き、一方の端部を構造体に連結され、他方の端部を第三段変位機構１３０の一対の変位箇所Ｐの一方に連結される、様子が示される。
【００８７】
構造体が交番荷重を受けて変形すると、張力が第一段右側長尺部材３１０Ｒと第一段左側長尺部材３１０Ｌとに発生し、張力が第二段右側長尺部材３２０Ｒと第二段左側長尺部材３２０Ｌとに発生し、第一段変位機構１１０の一対の変位箇所Ｐが変位し、第三段変位機構１３０の一対の変位箇所Ｐが変位する。
例えば、構造体が交番荷重を受けて変形すると、張力が第一段右側長尺部材３１０Ｒと第一段左側長尺部材３１０Ｌとに交互に発生し、張力が第二段右側長尺部材３２０Ｒと第二段左側長尺部材３２０Ｌとに交互に発生し、第一段変位機構１１０の一対の変位箇所Ｐが変位し、第三段変位機構１３０の一対の変位箇所Ｐが変位する。
【００８８】
次に、本発明の第四の実施形態にかかる構造体の制振機構を、図を基に、詳述する。
図１０は、本発明の第四の実施形態に係る建物体の制振機構の概念図その１である。
【００８９】
本発明の第四の実施形態に係る建物体の制振機構その１は、複数段の変位機構１００と複数段のシーブ２００と複数段の一対の長尺部材とで構成される。
【００９０】
複数段の変位機構１００は、第一段変位機構１１０と第二段変位機構１２０と第三段変位機構１３０とで構成される。
第一段変位機構１１０と第二段変位機構１２０とが特定方向に沿って重なって構造体に固定される。  
図１０は、第一段変位機構１１０と第二段変位機構１２０とが構造体の特定の梁である特定梁１２ａを間に挟んで鉛直方向に重なり構造体の特定梁１２ａに固定される様子を示す。
第一段変位機構１１０と第二段変位機構１２０とが重なったものと第三段変位機構１３０とが特定方向に沿って離れて構造体に固定される。
第一段変位機構１１０と第二段変位機構１２０とが重なったものと第三段変位機構１３０とが鉛直方向に沿って離れて構造体に固定されてもよい。
例えば、第一段変位機構１１０と第二段変位機構１２０とが、複数の梁１２のうちの特定の梁である特定梁１２ａに固定される。
例えば、第三段変位機構１３０が基礎１１に固定される。
【００９１】
複数のシーブ２００の構造は複数段のシーブ２００は、複数の第一段シーブ２１０と複数の第二段シーブ２２０とで構成される。
シーブ２００は、多層のラーメン構造に各々に回転自在に固定されてもよい。
例えば、シーブ２００は、長尺部材を巻きかけられて回転自在に案内する案内車であってもよい。
複数の第一段シーブ２１０と複数の第二段シーブ２２０とは、特定方向に沿って第一段変位機構１１０と第二段変位機構１２０とを固定する箇所を境にして、配置されてもよい。
例えば、複数の第一段シーブ２１０と複数の第二段シーブ２２０とは、特定方向に沿って特定梁１２ａを境にして、配置されてもよい。
図１０に、複数の第一段シーブ２１０と複数の第二段シーブ２２０とは、鉛直方向に沿って特定梁１２ａを境にして、配置される様子が示される。
【００９２】
複数段の一対の長尺部材は、第一段右側長尺部材３１０Ｒと第一段左側長尺部材３１０Ｌと第二段右側長尺部材３２０Ｒと第に二段左側長尺部材３２０Ｌとで構成される。
第一段右側長尺部材３１０Ｒが、複数の第一段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を構造体に連結され、他方の端部を第一段変位機構の一対の変位箇所Ｐの一方に連結される。
第一段左側長尺部材３１０Ｌが、複数の第一段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を構造体に連結され、他方の端部を第一段変位機構の一対の変位箇所Ｐの他方に連結される。
第二段右側長尺部材３２０Ｒが、複数の第二段シーブに掛け渡され、一方の端部と他方の端部の間の少なくとも一部がラーメン構造の対角に位置する一対の隅部の間に一方の傾斜方向に沿って斜めに張られて構造体の構面に沿って全体としてジグザクを描き、一方の端部を第二段変位機構の一対の変位箇所Ｐの他方に連結され、他方の端部を第三段変位機構の一対の変位箇所Ｐの一方に連結される。
第二左側長尺部材３２０Ｌが、複数の第二段シーブに掛け渡され、一方の端部と他方の端部の間の少なくとも一部がラーメン構造の対角に位置する一対の隅部の間に他方の傾斜方向に沿って斜めに張られて構造体の構面に沿って全体としてジグザクを描き、一方の端部を第二段変位機構の一対の変位箇所Ｐの一方に連結され、他方の端部を第三段変位機構の一対の変位箇所Ｐの他方に連結される。
【００９３】
第一段右側長尺部材３１０Ｒが、複数の第一段シーブ２１０に掛け渡され、一方の端部と他方の端部の間の少なくとも一部がラーメン構造の対角に位置する一対の隅部の間に一方の傾斜方向に沿って斜めに張られ、他の部分が特定方向に直交する向きに張られ、構造体の構面に沿って全体としてジグザクを描き、一方の端部を構造体に連結され、他方の端部を第一段変位機構の一対の変位箇所Ｐの一方に連結されてもよい。
第一段左側長尺部材３１０Ｌが、複数の第一段シーブ２１０に掛け渡され、一方の端部と他方の端部の間の少なくとも一部がラーメン構造の対角に位置する一対の隅部の間に他方の傾斜方向に沿って斜めに張られ、他の部分が特定方向に直交する向きに張られ、構造体の構面に沿って全体としてジグザクを描き、一方の端部を構造体に連結され、他方の端部を第一段変位機構の一対の変位箇所Ｐの他方に連結されてもよい。
第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られ、他の部分が特定方向に直交する向きに張られ、構造体の構面に沿って全体としてジグザクを描き、一方の端部を第二段変位機構の一対の変位箇所Ｐの他方に連結され、他方の端部を第三段変位機構の一対の変位箇所Ｐの一方に連結されてもよい。
第二左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られ、他の部分が特定方向に直交する向きに張られ、構造体の構面に沿って全体としてジグザクを描き、一方の端部を第二段変位機構の一対の変位箇所Ｐの一方に連結され、他方の端部を第三段変位機構の一対の変位箇所Ｐの他方に連結されてもよい。
【００９４】
構造体が交番荷重を受けて変形すると、張力が第一段右側長尺部材と第一段左側長尺部材とに発生し、張力が第二段右側長尺部材と第二段左側長尺部材とに発生し、第一段変位機構の一対の変位箇所Ｐが変位し、第二段変位機構の一対の変位箇所Ｐが変位し、第三段変位機構の一対の変位箇所Ｐが変位する。
例えば、構造体が交番荷重を受けて変形すると、張力が第一段右側長尺部材と第一段左側長尺部材とに交互に発生し、張力が第二段右側長尺部材と第二段左側長尺部材とに交互に発生し、第一段変位機構の一対の変位箇所Ｐが変位し、第二段変位機構の一対の変位箇所Ｐが変位し、第三段変位機構の一対の変位箇所Ｐが変位する。
【００９５】
図１０に、第一段右側長尺部材３１０Ｒが、複数の第一段シーブ２１０に掛け渡され、一方の端部と他方の端部の間の少なくとも一部がラーメン構造の対角に位置する一対の隅部の間に一方の傾斜方向に沿って斜めに張られて、他の部分が梁１２に沿って張られて、構造体の構面に沿って全体としてジグザクを描き、一方の端部を構造体に連結され、他方の端部を第一段変位機構の一対の変位箇所Ｐの一方に連結され、
第一段左側長尺部材３１０Ｌが、複数の第一段シーブ２１０に掛け渡され、一方の端部と他方の端部の間の少なくとも一部がラーメン構造の対角に位置する一対の隅部の間に他方の傾斜方向に沿って斜めに張られて、他の部分が梁１２に沿って張られて、構造体の構面に沿って全体としてジグザクを描き、一方の端部を構造体に連結され、他方の端部を第一段変位機構の一対の変位箇所Ｐの他方に連結される様子を示される。
図１０に、第二段右側長尺部材３２０Ｒが、複数の第二段シーブ２２０に掛け渡され、一方の端部と他方の端部の間の少なくとも一部がラーメン構造の対角に位置する一対の隅部の間に一方の傾斜方向に沿って斜めに張られて、他の部分が梁１２に沿って張られて、構造体の構面に沿って全体としてジグザクを描き、一方の端部を第二段変位機構の一対の変位箇所Ｐの他方に連結され、他方の端部を第三段変位機構の一対の変位箇所Ｐの一方に連結され、
第二左側長尺部材３２０Ｌが、複数の第二段シーブ２２０に掛け渡され、一方の端部と他方の端部の間の少なくとも一部がラーメン構造の対角に位置する一対の隅部の間に他方の傾斜方向に沿って斜めに張られて、他の部分が梁１２に沿って張られて、構造体の構面に沿って全体としてジグザクを描き、一方の端部を第二段変位機構の一対の変位箇所Ｐの一方に連結され、他方の端部を第三段変位機構の一対の変位箇所Ｐの他方に連結される様子を示される。
【００９６】
次に、本発明の第四の実施形態にかかる構造体の制振機構その２を、図を基に、詳述する。
図１１は、本発明の第四の実施形態に係る建物体の制振機構の概念図その２である。
【００９７】
本発明の第四の実施形態に係る建物体の制振機構その２は、複数段の変位機構１００と複数段のシーブ２００と複数段の一対の長尺部材３００とで構成される。
【００９８】
複数段の変位機構１００と複数段のシーブ２００と複数段の一対の長尺部材の構成は、本発明の第四の実施形態に係る建物体の制振機構その１のものと同じなので説明を省略する。
【００９９】
複数段の変位機構１００は、構造体１０の基礎１１に支持される。
例えば、第一段変位機構１１０と第二段変位機構１２０とは、構造体の基礎１１から立ち上げられた梁１２ｂに固定される。
【０１００】
本発明の実施形態に係る建物体の制振機構は、その構成により、以下の効果を有する。
所定の回転慣性質量または慣性質量をもち揺動または移動できる様に支持または案内され揺動または移動する際に所定の方向に変位する一対の変位箇所Ｐをもつ変位機構１００が構造体に固定され、複数のシーブ２００が、多層のラーメン構造に各々に回転自在に固定され、右側長尺部材３００Ｒ及び左側長尺部材３００Ｌが、複数のシーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を変位機構の一対の変位箇所Ｐの一方及び他方に連結され、構造体が変形すると、張力が右側長尺部材と左側長尺部材とに交互に発生し、変位機構の一対の変位箇所Ｐが往復変位する様にするので、右側長尺部材３００Ｒと左側長尺部材３００Ｌと変位機構の回転慣性質量または慣性質量で構成されるばね−マス系と構造体とが連成振動し、長尺部材３００のばね定数と変位機構の慣性質量を調整することで、構造体全体の振動を免震・制振できる。
また、所定の回転慣性質量または慣性質量をもち揺動または移動できる様に支持または案内され揺動または移動する際に所定の方向に変位する一対の変位箇所Ｐをもつ第一段変位機構１１０と第二段変位機構１２０とが構造体に特定方向に沿って重なって固定され、複数の第一段シーブ２１０と複数の第二段シーブ２２０とが、多層のラーメン構造に各々に回転自在に固定され、第一段右側長尺部材３１０Ｒ及び第一段左側長尺部材３１０Ｌが、複数のシーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を第一段変位機構の一対の変位箇所Ｐの一方及び他方に連結され、第二段右側長尺部材３２０Ｒ及び第二段左側長尺部材３２０Ｌが、複数のシーブ２００に掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を第二段変位機構１２０の変位箇所Ｐに連結され他方の端部を構造体に連結され、構造体が変形すると、張力が右側長尺部材３００Ｒと左側長尺部材３００Ｌとに交互に発生し、変位機構１００の一対の変位箇所Ｐが往復変位する様にするので、右側長尺部材３００Ｒと左側長尺部材３００Ｌと変位機構１００の回転慣性質量または慣性質量で構成されるばね−マス系と構造体とが連成振動し、長尺部材３００のばね定数と変位機構の慣性質量を調整することで、構造体全体の振動を免震・制振できる。
また、所定の回転慣性質量または慣性質量をもち揺動または移動できる様に支持または案内され揺動または移動する際に所定の方向に変位する一対の変位箇所Ｐをもつ第一段変位機構と第二段変位機構とが構造体に（特定方向に沿って離れて）固定され、複数の第一段シーブ１１０と複数の第二段シーブ２２０とが、多層のラーメン構造に各々に回転自在に固定され、第一段右側長尺部材３１０Ｒ及び第一段左側長尺部材３１０Ｌが、複数のシーブ２００に掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を第一段変位機構１１０の一対の変位箇所Ｐの一方及び他方に連結され、構造体が変形すると、張力が右側長尺部材３００Ｒと左側長尺部材３００Ｌとに交互に発生し、第一段変位機構１１０の一対の変位箇所Ｐが往復変位する様にするので、第一段右側長尺部材３１０Ｒと第一段左側長尺部材３１０Ｌと第二段右側長尺部材３２０Ｒと第二段左側長尺部材３２０Ｌと変位機構１００の回転慣性質量または慣性質量で構成されるばね−マス系と構造体とが連成振動し、長尺部材３００のばね定数と変位機構１００の慣性質量を調整することで、構造体全体の振動を免震・制振できる。
また、所定の回転慣性質量または慣性質量をもち揺動または移動できる様に支持または案内され揺動または移動する際に所定の方向に変位する一対の変位箇所Ｐをもつ第一段変位機構と第二段変位機構とが構造体に（特定方向に重なって）固定され、第三段変位機構が重なった第一段変位機構と第二段変位機構と特定方位に沿って離れて多層のラーメン構造に各々に（回転自在に）固定され、
第一段右側長尺部材及び第一段左側長尺部材が、複数のシーブに掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を構造体に連結され他方の端部を第一段変位機構の一対の変位箇所Ｐの一方及び他方に連結され、第二段右側長尺部材３２０Ｒ及び第二段左側長尺部材３２０Ｌが、複数のシーブ２００に掛け渡され、一方の端部と他方の端部の間の少なくとも一部がラーメン構造の対角に位置する一対の隅部の間に一方又は他方の傾斜方向に沿って斜めに張られて構造体の構面に沿って全体としてジグザクを描き、一方の端部を第二段変位機構１２０の変位箇所Ｐに連結され他方の端部を第三段変位機構１３０の一対の変位箇所Ｐの一方及び他方に連結され、構造体が変形すると、張力が右側長尺部材３００Ｒと左側長尺部材３００Ｌとに交互に発生し、第一段変位機構１１０の一対の変位箇所Ｐが往復変位する様にするので、第一段右側長尺部材３１０Ｒと第一段左側長尺部材３１０Ｌと第二段右側長尺部材３２０Ｒと第二段左側長尺部材３２０Ｌと変位機構１００の回転慣性質量または慣性質量で構成されるばね−マス系と構造体とが連成振動し、長尺部材３００のばね定数と変位機構の慣性質量を調整することで、構造体全体の振動を免震・制振できる。
また、右側長尺部材３００Ｒ及び左側長尺部材３００Ｌの他方の端部が固定部材に揺動自在に支持されるシーソー部材１０１の揺動中心を境にして点対称の位置にある一対の変位箇所Ｐの連結される様にしたので、ラーメン構造が剪断変形したとき右側長尺部材３１０Ｒ及び左側長尺部材３１０Ｌのどちらかの一方の長尺部材が変位箇所Ｐを引っ張る。
また、変位機構１００が、回転体とシーソー部材の変位箇所Ｐの往復変位を該回転体の正逆回転に変換する変換機構とを持つ慣性質量要素１０３をもつ様にしたので、慣性質量要素の回転体と変換機構の諸元を希望の諸元にすることで、長尺部材３００の端部に付加する慣性質量を希望の値にすることができる。
また、変位機構１００が、回転体とシーソー部材の一対の変位箇所Ｐの変位箇所Ｐの往復変位を該回転体の正逆回転に変換する変換機構とを持つ一対の慣性質量要素１０３とをもつ様にしたので、慣性質量要素１０３の回転体と変換機構の諸元を希望の諸元にすることで、長尺部材３００の端部に付加する慣性質量を希望の値にすることができる。
また、右側長尺部材３００Ｒ及び左側長尺部材３００Ｌの他方の端部が固定部材に往復自在に支持されるシーソー部材にある変位箇所Ｐの連結される様にしたので、ラーメン構造が剪断変形したとき右側長尺部材及び左側長尺部材のどちらかの一方の長尺部材が変位箇所Ｐを引っ張る。
また、変位機構が、回転体と往復部材１０４の変位箇所Ｐの往復変位を該回転体の正逆回転に変換する変換機構とを持つ慣性質量要素１０３をもつ様にしたので、慣性質量要素の回転体と変換機構の諸元を希望の諸元にすることで、長尺部材の端部に付加する慣性質量を希望の値にすることができる。
また、一対の長尺部材３００が、複数のシーブ２００に掛け渡され、一方の端部と他方の端部の間の少なくとも一部が開口部を囲う特定ラーメン構造を形成する梁または柱に沿って張られる様にしたので、構造体の開口部を避けて長尺部材を掛け渡すことができる。
また、変位機構１００が構造体を支持する基礎に固定される様にしたので、変位機構の揺動または往復する反力を基礎により支持する。
【０１０１】
本発明は以上に述べた実施形態に限られるものではなく、発明の要旨を逸脱しない範囲で各種の変更が可能である。
実施形態の説明では、構面が構造体の壁面であるとして説明したが、これに限定されない。例えば、構面は床面であってもよいし、構造体の内側に形成されるラーメン構造の面であってもよいし、床面と壁面とが繋がった面でもよいし、床面と構造体の内側に形成されるラーメン構造に面とが繋がった面であってもよい。
実施形態の説明では、特定方向が鉛直方向であるとして説明したが、これに限定されない。例えば、特定方向が左右方向であってもよいし、特定方向が水平方向であってもよい。
図１２は、構造体の特定構造Ｈと特定方向Ｄの各種のバリエーションを示す。
また、右側長尺部材３００Ｒが対角に位置する一対の隅部の間に一方の傾斜方向に沿って斜めに張られるラーメン構造の数と左側長尺部材３００Ｌが対角に位置する一対の隅部の間に他方の傾斜方向に沿って斜めに張られるラーメン構造の数とが一致していてもよい。
また、右側長尺部材３００Ｒがラーメン構造の対角に位置する一対の隅部の間に一方の傾斜方向に沿って斜めに張られる長尺部材の長さの総長さと左側長尺部材３００Ｌがラーメン構造の対角に位置する一対の隅部の間に他方の傾斜方向に沿って斜めに張られる長尺部材の長さの総長さとが略一致してもよい。
また、シーブの回転支持機構に摩擦機構を組み込んでも良い。この様にするとシーブの回転に伴って摩擦力を発生し、構造体の運動エネルギーを減衰できる。
【符号の説明】
【０１０２】
１０  構造体
１１  基礎
１２  梁
１２ａ  特定梁
１２ｂ  特定梁
１３  柱
Ｄ  特定方向
Ｈ  特定構面
Ｗ  開口部
Ｐ  変位箇所
１００  変位機構
１００Ｒ  右側変換機器
１００Ｌ  左側変換機構
１０１  シーソー部材
１０２  固定部材
１０３  慣性質量要素
１０４  往復部材
１０５  案内部材
１０６  慣性質量要素
１１０  第一段変位機構
１２０  第二段変位機構
１３０  第三段変位機構
２００  シーブ
２１０  第一段シーブ
２２０  第二段シーブ
３００  長尺部材
３００Ｒ  右側長尺部材
３００Ｌ  左側長尺部材
３１０Ｒ  第一段右側長尺部材
３１０Ｌ  第一段左側長尺部材
３２０Ｒ  第二段右側長尺部材
３２０Ｌ  第二段左側長尺部材
【図１】
2019157477.tif 000003
【図２】
2019157477.tif 000004
【図３】
2019157477.tif 000005
【図４】
2019157477.tif 000006
【図５】
2019157477.tif 000007
【図６】
2019157477.tif 000008
【図７】
2019157477.tif 000009
【図８】
2019157477.tif 000010
【図９】
2019157477.tif 000011
【図１０】
2019157477.tif 000012
【図１１】
2019157477.tif 000013
【図１２】
2019157477.tif 000014
【図１３】
2019157477.tif 000015